(57)【要約】【課題】簡単な構成でありながら、全閉状態にある扉体の初期開放力を小さくすることができる引戸の下部気密装置を提供する。【解決手段】開口部上方に設けられた、扉体１の閉鎖方向に向かって上方に傾斜する傾斜レール８と、扉体１に設けられた、上方部位が傾斜レール８に案内されて移動する第１ロッド９、下方部位に気密材１３が装着された第２ロッド１０、及び、第１ロッド９の上動・下動を第２ロッド１０の下動・上動に変向する変向手段１１と、扉体１が全閉状態から開放方向へ移動する時に第１ロッド９を下動させる手段１４と、を備えている。【選択図】図１
2008063727.tif 000002
【特許請求の範囲】
【請求項１】
開口部上方に設けられた、扉体の閉鎖方向に向かって上方に傾斜する傾斜レールと、
扉体に設けられた、上方部位が傾斜レールに案内されて移動する第１部材、下方部位に気密材が装着された第２部材、及び、第１部材の上動・下動を第２部材の下動・上動に変向する変向手段と、を備え、
扉体の閉鎖方向の移動時に第１部材が傾斜レールに案内されて移動すると、第２部材の下方に装着された気密材が徐々に下動して、開口部全閉時に気密材が扉体下端と床面との隙間を塞ぎ、全閉状態の扉体の開放方向の移動時に第１部材が傾斜レールに案内されて移動すると、第２部材が上動して気密材が床面から徐々に離間する、引戸の下部気密装置。
【請求項２】
前記第１部材、第２部材は、上下方向に延出する第１ロッド、第２ロッドであり、
前記変向手段は、一端が第１ロッドの下方部位に回動自在に連結され、他端が第２ロッドの上方部位に回動自在に連結され、かつ、両端部間の支点を介して上下回動自在の連結杆により構成されている、請求項１に記載の引戸の下部気密装置。
【請求項３】
前記第１部材の上方部位は前記傾斜レール上を移動することで案内され、前記装置は、扉体が全閉状態から開放方向へ移動する時に第１部材を下動させる手段を備えている、請求項１，２いずれかに記載の引戸の下部気密装置。
【請求項４】
前記第１部材を下動させる手段は上下方向に伸縮可能な弾性部材を備えており、前記弾性部材の伸長力あるいは圧縮力によって前記第１部材を下動させる、請求項３に記載の引戸の下部気密装置。
【請求項５】
前記第１部材の上方部位は前記傾斜レールの下面に当接しながら移動することで案内される、請求項１，２いずれかに記載の引戸の下部気密装置。
【請求項６】
開口部上方に設けられた、扉体の閉鎖方向に向かって下方に傾斜する傾斜レールと、
扉体に設けられた、上方部位が傾斜レールに案内されて移動し、下方部位に気密材が装着されたロッドと、を備え、
扉体の閉鎖方向の移動時にロッドの上方部位が傾斜レールに案内されて移動すると、ロッドの下方に装着された気密材が徐々に下動して、開口部全閉時に気密材が扉体下端と床面との隙間を塞ぎ、全閉状態の扉体の開放方向の移動時にロッドが傾斜レールに案内されて移動すると、ロッドが上動して気密材が床面から徐々に離間する、引戸の下部気密装置。
【請求項７】
前記ロッドの上方部位は前記傾斜レールの下面に当接しながら移動することで案内され、前記装置は、扉体が全閉状態から開放方向へ移動する時にロッドを上動させる手段を備えている、請求項６に記載の引戸の下部気密装置。
【請求項８】
前記ロッドを上動させる手段は上下方向に伸縮可能な弾性部材を備えており、前記弾性部材の伸長力あるいは圧縮力によって前記ロッドを上動させる、請求項７に記載の引戸の下部気密装置。
【請求項９】
前記ロッドの上方部位は前記傾斜レール上を移動することで案内される、請求項６に記載の引戸の下部気密装置。
【発明の詳細な説明】
【技術分野】
【０００１】
本発明は、引戸の下部気密装置に関するものである。
【背景技術】
【０００２】
引戸装置は、扉体を回動させることなく建物開口部を開閉することができ、扉装置として広く用いられている。ここで、上吊式引戸の場合には、機構上、扉体の下端と床面との間に１０ｍｍ前後の隙間を設ける必要があり、引戸の下部の気密性を保持したいという要望（例えば、病院等では空調や清浄性の維持確保のため、引戸において外気を遮断したいという要望がある）に応えるためには、この隙間を塞ぐ必要がある。
【０００３】
従来、隙間からの外気の流入を防ぐために、扉体を吊持するレールに角度変化を設け、扉体を全閉位置で下降させて隙間を埋める方法などがある。しかしながら、このものでは全閉時から扉体を開放する際の初動に必要な開放力が重くなってしまうという課題があった。
【０００４】
さらに、特許文献１には、ドアの下部にシール部材を上下動自在に配設すると共に、該シール部材をドアに取着したダンパーの可動部に連結し、前記ドアの下部に可動板を上下動自在に配設すると共に、その可動板をドアが閉じ位置となった時に所定ストローク押し下げる機構を設け、さらに前記シール部材と可動板との間にバネを介在したことを特徴とするドアの気密装置が開示されている。しかしながら、このものは、ダンパーを必須構成要素としているが、当該ダンパーは、シリンダ本体、可動部を備えたピストン、伸長室、縮小室、これら室内に充填した油、バネ、可変絞り、逆止弁等を備えた複雑な構成を有しており、よって、気密装置自体が複雑となってしまうという不具合がある。また、無目に設けたピンにＬ型アームが当接して回動することで下動板を押し下げるようにしているため、当接音が発生するという不具合もある。
【特許文献１】実開昭６３−１７４２９３
【発明の開示】
【発明が解決しようとする課題】
【０００５】
本発明の目的は、簡単な構成でありながら、全閉状態にある扉体の初期開放力を小さくすることができる引戸の下部気密装置を提供することにある。
【課題を解決するための手段】
【０００６】
本発明が採用した第１の技術手段は、開口部上方に設けられた、扉体の閉鎖方向に向かって上方に傾斜する傾斜レールと、扉体に設けられた、上方部位が傾斜レールに案内されて移動する第１部材、下方部位に気密材が装着された第２部材、及び、第１部材の上動・下動を第２部材の下動・上動に変向する変向手段と、を備え、扉体の閉鎖方向の移動時に第１部材が傾斜レールに案内されて移動すると、第２部材の下方に装着された気密材が徐々に下動して、開口部全閉時に気密材が扉体下端と床面との隙間を塞ぎ、全閉状態の扉体の開放方向の移動時に第１部材が傾斜レールに案内されて移動すると、第２部材が上動して気密材が床面から徐々に離間する、引戸の下部気密装置、である。
【０００７】
一つの態様では、前記第１部材、第２部材は、上下方向に延出する第１ロッド、第２ロッドであり、前記変向手段は、一端が第１ロッドの下方部位に回動自在に連結され、他端が第２ロッドの上方部位に回動自在に連結され、かつ、両端部間の支点を介して上下回動自在の連結杆により構成されている。
【０００８】
一つの態様では、前記第１部材の上方部位は前記傾斜レール上を移動することで案内され、前記装置は、扉体が全閉状態から開放方向へ移動する時に第１部材を下動させる手段を備えている。一つの態様では、前記第１部材を下動させる手段は上下方向に伸縮可能な弾性部材を備えており、前記弾性部材の伸長力あるいは圧縮力によって前記第１部材を下動させる。より具体的な態様例では、前記弾性部材は、扉体の閉鎖方向への移動時に圧縮され、扉体の開放方向への移動時に圧縮状態から伸長することで前記第１部材を下動させる。他の態様では、前記第１部材を下動させる手段は、第１部材（第１ロッド）の重量を第２部材（第２ロッド）の重量よりも所定以上大きくすることで、第１部材（第１ロッド）の自重で第１部材を下動させるものでもよい。
【０００９】
一つの態様では、前記第１部材の上方部位は前記傾斜レールの下面に当接しながら移動することで案内される。一つの態様では、前記第２部材及び前記気密材の自重が前記第２部材及び前記気密部材を下動させるように作用することで、前記第１部材の上方部位が常に前記傾斜レールの下面に当接するように構成されている。
【００１０】
本発明が採用した第２の技術手段は、開口部上方に設けられた、扉体の閉鎖方向に向かって下方に傾斜する傾斜レールと、扉体に設けられた、上方部位が傾斜レールに案内されて移動し、下方部位に気密材が装着されたロッドと、を備え、扉体の閉鎖方向の移動時にロッドの上方部位が傾斜レールに案内されて移動すると、ロッドの下方に装着された気密材が徐々に下動して、開口部全閉時に気密材が扉体下端と床面との隙間を塞ぎ、全閉状態の扉体の開放方向の移動時にロッドが傾斜レールに案内されて移動すると、ロッドが上動して気密材が床面から徐々に離間する、引戸の下部気密装置、である。
【００１１】
一つの態様では、前記ロッドの上方部位は前記傾斜レールの下面に当接しながら移動することで案内され、前記装置は、扉体が全閉状態から開放方向へ移動する時にロッドを上動させる手段を備えている。一つの態様では、前記ロッドを上動させる手段は上下方向に伸縮可能な弾性部材を備えており、前記弾性部材の伸長力あるいは圧縮力によって前記ロッドを上動させる。
【００１２】
一つの態様では、前記ロッドの上方部位は前記傾斜レール上を移動することで案内される。扉体の閉鎖時には、前記ロッドは、その自重によって前記傾斜レール上を移動する。
【００１３】
第１の技術手段、第２の技術手段において、好ましい態様では、第１部材の上方部位、ロッドの上方部位にはガイドローラが設けてあり、第１部材、ロッドは、ガイドローラを介して傾斜レールを移動する。また、本明細書において、「傾斜レール上を移動する」には、水平状のローラが側部を介して案内されてレール内を移動するものも含む。また、後述する図示の実施形態では、扉体に、上方部位が傾斜レールに案内されて移動する第１部材、下方部位に気密材が装着された第２部材、及び、第１部材の上動・下動を第２部材の下動・上動に変向する変向手段を２組設け、それぞれに対応するように２本の傾斜レールを設け、２本の第２部材の下方に共通の長尺状の気密材を設けている。また、扉体に２本のロッドを設け、それぞれに対応するように２本の傾斜レールを設け、２本のロッドの下方に共通の長尺状の気密材を設けている。しかしながら、本発明は、図示の実施形態に限定されるものではなく、例えば、一組の第１部材、第２部材、変向手段、あるいは、１本のロッドを採用してもよい。
【発明の効果】
【００１４】
本発明では、傾斜レール及び変向手段を用いることで、徐々に気密材を上下動させるものであるため、簡単な構成でありながら、全閉状態にある扉体の初期開放時には、傾斜レールに沿って少しだけ気密材を上昇させればよいので、初期開放力を小さくすることができる。また、本発明では、傾斜レールに案内されることで気密材は徐々にゆっくりと上下動するので、気密装置を構成する部材同士が当接して音を発生させるおそれが少ない。
【発明を実施するための最良の形態】
【００１５】
図１は扉閉鎖時における引戸装置の姿図、図２は扉開放時における引戸装置の姿図であり、引戸装置は、扉体１と、上枠２内に設けた吊持レール３と、を有し、扉体１の上端に設けた吊持ローラ４が吊持レール３に案内されて移動することで、扉体１が、上枠２、戸先側縦枠５、床面６、戸袋部７で形成される開口部を開閉する。吊持レール３は、扉体１の閉鎖方向（戸先側）に向かって下方に傾斜するように延出しており、開口部を閉鎖する際には、扉体１の自重で扉体が閉鎖方向に移動する。尚、吊持レールを水平とし、別途設けた自閉装置を用いて扉体を閉鎖方向に移動させてもよい。図中、符号４０は、扉体１の振れを規制する振れ止めローラである。
【００１６】
上枠２内には、吊持レール３とは別に、閉鎖方向（戸先側）に向かって上方に傾斜する傾斜レール８が設けてある。図示の例では、２本の傾斜レールが、扉体１の幅方向に間隔を存して設けてある。
【００１７】
扉体１には、扉体１内を上下に延出する第１ロッド９、第２ロッド１０、第１ロッド９と第２ロッド１０とを連結する連結杆１１が設けてある。第１ロッド９は扉体１の上半部に、第２ロッド１０は扉体１の下半部に、それぞれ位置して扉体１内の中空部を延出しており、第１ロッドの下端には、連結杆１１の一方の端部が回動自在に連結されており、第２ロッドの上端には、連結杆１１の他方の端部が回動自在に連結されている。連結杆１１は、両端部の間（図示の例では、中間点）に設けた支軸１１０を支点として上下に回動自在である。すなわち、第１ロッド９の下端および第２ロッド１０の上端に連結された連結杆１１が変向装置を構成しており、第１ロッド９が上動すると、連結杆１１を介して第２ロッド１０が下動し、第１ロッド９が下動すると、連結杆１１を介して第２ロッド１０が上動するようになっている。図４に示すように、図示の例では、第１ロッド９の下端側は螺子により連結された別部材９０から構成されており、また、第２ロッド１０の上端側は螺子により連結された別部材１００から構成されており、第１ロッド９、第２ロッド１０の長さの微調整が可能となっている。尚、連結杆１１の支軸１１０は、扉体１の構成部材のいずれかに支持させればよい。
【００１８】
第１ロッド９の上端にはガイドローラ１２が回転自在に装着されており、第１ロッド９、連結杆１１、第２ロッド１０、気密材１３は、第１ロッド９の上端のガイドローラ１２が傾斜レール８に案内されることで、扉体１の移動時には、扉体１と一緒に開口幅方向に移動する。第２ロッド１０の下端には、扉体１の幅方向に延出する長尺状の気密材１３が連結されている。したがって、扉体１の閉鎖方向への移動に伴って、第１ロッド９の上端のガイドローラ１２が傾斜レール８に案内されながら移動して第１ロッド９が徐々に上動すると、連結杆１１を介して、第２ロッド１０が徐々に下動して、第２ロッド１０の下端に連結した気密材１３が徐々に下動して扉体１の下端から下方に突出する。
【００１９】
図２に示すように、開口部開放時には、第１ロッド９の上端のガイドローラ１２は傾斜レール８から離間している。開口部を閉鎖する時に、図２の状態から扉体１が全閉状態に近づく所定位置まで移動した時に、第１ロッド９の上端のガイドローラ１２が傾斜レール８上を走行して斜め上方に案内され、これに伴って第２ロッド１０が徐々に下動して行き、開口部全閉時に扉体１下端と床面６との隙間を塞ぐようになっている。
【００２０】
扉体１の上方部位には、スプリング１４が内装されており、スプリング１４は、扉体１を閉鎖する際に、第１ロッド９の上動にしたがって上下方向に圧縮されて力を蓄積し、扉体１を開放する際には、蓄積されたバネ力により、第１ロッド９及びガイドローラ１２を下動させるようになっている。具体的に説明すると、扉体１の上方部位には、第１ロッド９が設けられる部位に位置させて、上片１５０、下片１５１、連結片１５２から断面視コ字状に形成されたバネ取付部材１５が連結片１５２を螺子で止着することで設けてある。上片１５０、下片１５１には、第１ロッド９を挿通させる挿通孔が形成されたブッシュ１６Ａ，１６Ｂが設けてあり、第１ロッド９は、上片１５０、下片１５１を貫通している。第１ロッド９の周面には、上片１５０、下片１５１間に位置させてスプリング１４が外装されている。スプリング１４の上端側は上片１５０の下面に当接しており、スプリング１４の下端側は第１ロッド９の周面に固定した板状体１７にワッシャ１８を用いて連結されている。したがって、第１ロッド９が上動すると、第１ロッド９に連結されているスプリング１４の下端側が上動し、また、スプリング１４の上端は上片１５０に当接したままであるので、スプリング１４が上下方向に圧縮されることになる。
【００２１】
このように構成された引戸の下部気密装置において、扉体１を閉鎖方向に移動させて開口部を閉鎖する際には、扉体１が全閉位置に近づく所定位置まで移動した以降に、扉体１に設けられた第１ロッド９の上端のガイドローラ１２が傾斜レール８に案内されて斜め上方に移動して行き、第１ロッド９の上端が徐々に上動することに伴って、第２ロッド１０が徐々に下動し、第２ロッド１０の下端の気密材１３が徐々に下動し、開口部全閉時には、扉体１の下端より突出する気密材１３が扉体１の下端と床面６との隙間を塞ぐ。
【００２２】
全閉状態では、スプリング１４は圧縮されて力を蓄積した状態であり、この状態から扉体１を開放させると、第１ロッド９が圧縮状態にあるスプリング１４の伸長力で下動してガイドローラ１２が傾斜レール８に案内されて移動し、連結杆１１を介して第２ロッド１０が上動して、気密材１３が床面から徐々に離れる。第１ロッド９が傾斜レール８に案内されて少し移動するだけで気密材１３が床面から離れるので、初期開放力が小さくてすむ。
【００２３】
本発明の他の実施形態について図８乃至図１２に基づいて説明する。以下に述べる実施形態において、図１乃至図７に示す上述の実施形態と同一の部材については同一の参照番号が付してあり、これらの部材についての説明は上述の記載を援用することができる。
【００２４】
図８に示す実施形態は、図１乃至図７に示す実施形態と同様に、扉体１には、扉体１内を上下に延出する第１ロッド９、第２ロッド１０、第１ロッド９と第２ロッド１０とを連結する連結杆１１、が設けてある。連結杆１１は支軸１１０を介して扉体１に支持されており、第１ロッド９の上方部位は、扉体１の上端部を上下動可能に挿通している。傾斜レール８０は、上枠２内において扉体１の幅方向に延出しており、開閉時の扉体１の移動距離と略同じ長さ寸法を有している。
【００２５】
傾斜レール８０は、戸先側に位置して、閉鎖方向（戸先側）に向かって上方に傾斜する第１部８０Ａと、戸尻側に位置して、吊持レール３と略平行に延出する第２部８０Ｂと、からなる。第１ロッド９の上端のガイドローラ１２は、傾斜レール８０の下面に当接しながら移動することで案内される。
【００２６】
図８に示す実施形態では、第２ロッド１０、気密材１３の自重が常時第２ロッド１０を下動させるように作用しており、すなわち、常時、第１ロッド９を上動させる力が作用している。そして、上述のように、第１ロッド９の上端のガイドローラ１２が傾斜レール８０の下面に当接していることから、傾斜レール８０の下面の傾斜によって、第１ロッド９、第２ロッド１０及び気密材１３の上下動を制御することができる。
【００２７】
図８は開口部全閉時の姿図であって、この状態から扉体１を開放させると、第１ロッド９の上端のガイドローラ１２が、傾斜レール８０の第１部８０Ａの下面（扉体１の閉鎖方向に向かって上方に傾斜している）に当接して案内されながら下動することで第１ロッド９が徐々に下動し、これに連動して第２ロッド１０が徐々に上動して、第２ロッド１０の下端に設けられた気密材１３が床面から徐々に離間する。第１ロッド９の上端のガイドローラ１２が傾斜レール８０の第２部分８０Ｂの下面（吊持レール３と平行して延出している）まで移動すると、扉体１の移動にしたがって、第１ロッド９、第２ロッド１０、気密材１３は、扉体１に対して同じ高さで案内される。開口部全開時においても、第１ロッド９の上端のガイドローラ１２は傾斜レール８０の第２部分８０Ｂの下面に当接している。
【００２８】
扉体１の閉鎖時において、第１ロッド９の上端のガイドローラ１２が傾斜レール８０の第２部分８０Ｂの下面に当接して案内されている時には扉体１に対する気密材１３の高さは同じであるが、第１ロッド９の上端のガイドローラ１２が傾斜レール８０の第１部分８０Ａの下面に当接して案内され始めると、第２ロッド１０および気密材１３の自重で、第１ロッド９が徐々に上動し、第２ロッド１０が徐々に下動して、第２ロッド１０の下端に設けられた気密材１３が徐々に下動して、開口部全閉時に気密材１３が扉体下端と床面との間を塞ぐ。
【００２９】
図示の例では、傾斜レール８０を、戸先側に位置して、閉鎖方向（戸先側）に向かって上方に傾斜する第１部８０Ａと、戸尻側に位置して、吊持レール３と略平行に延出する第２部８０Ｂと、から構成したが、開閉時の扉体１の移動距離、上枠２内の高さ寸法等の条件によっては、傾斜レール８０全体を同じ角度で傾斜する部材から構成することもできる。
【００３０】
図９乃至図１１は、さらに他の実施形態を示し、このものでは、第１ロッド９、第２ロッド１０、連結杆１１に代えて、上方部位が傾斜レールに案内されて移動し、下方部位に気密材が装着されたロッド１９を採用している。上枠２内には、吊持レール３とは別に、閉鎖方向（戸先側）に向かって下方に傾斜する傾斜レール８１が設けてある。
【００３１】
扉体１の上方部位には、スプリング１４Ａが内装されている。ロッド１９はスプリング１４Ａを介して扉体１に支持されており、ロッド１９の上方部位は、扉体１の上端部を上下動可能に挿通している。スプリング１４Ａは、扉体１を閉鎖する際に、ロッド１９の下動にしたがって上下方向に圧縮されて力を蓄積し、扉体１を開放する際には、蓄積されたバネ力により、ロッド１９、ガイドローラ１２、気密材１３を上動させるようになっている。
【００３２】
ロッド１９の上端にはガイドローラ１２が設けてあり、図１０に示すように、開口部開放時には、ロッド１９の上端のガイドローラ１２は他の部材に接触しない自由な状態であり、ロッド１９は、その下端の気密材１３が床面から離間した状態でスプリング１４Ａによって一定の高さを保持している。この状態から扉体１を閉鎖させると、扉体１が所定量移動した時に、ロッド１９の上端のガイドローラ１２が傾斜レール８１の下面に当接して案内され始め、ロッド１９はスプリング１４Ａを圧縮しながら徐々に下動して行き、ロッド１９の下動に伴って気密材１３も徐々に下動して、開口部全閉時に気密材１３が扉体下端と床面との間を塞ぐ。
【００３３】
図９は開口部全閉時の姿図であって、この状態では、スプリング１４Ａの蓄積されたバネ力により、ロッド１９、ガイドローラ１２、気密材１３を上動させる力が作用しており、この状態から扉体１を開放させると、ロッド１９の上端のガイドローラ１２が傾斜レール８１の下面に当接して案内されながら上動することでロッド１９が徐々に上動し、これに伴ってロッド１９の下端に設けられた気密材１３が床面から徐々に離間する。
【００３４】
図１２にさらに他の実施形態を示す。図１２に示す実施形態は、上方部位が傾斜レール８２に案内されて移動し、下方部位に気密材１３が装着されたロッド１９を採用している。傾斜レール８２は、上枠２内において扉体１の幅方向に延出しており、開閉時の扉体１の移動距離と略同じ長さ寸法を有している。
【００３５】
傾斜レール８２は、戸先側に位置して、閉鎖方向（戸先側）に向かって下方に傾斜する第１部８２Ａと、戸尻側に位置して、吊持レール３と略平行に延出する第２部８２Ｂと、からなる。ロッド１９の上端のガイドローラ１２は、傾斜レール８２上を移動することで案内される。
【００３６】
図１２は開口部全閉時の姿図であって、この状態から扉体１を開放させると、ロッド１９の上端のガイドローラ１２が、傾斜レール８２上を移動することで案内されて、ロッド１９が徐々に上動し、これに伴ってロッド１９の下端に設けられた気密材１３が床面から徐々に離間する。ロッド１９の上端のガイドローラ１２が傾斜レール８２の第２部分８２Ｂ（吊持レール３と平行して延出している）まで移動すると、扉体１の移動にしたがって、ロッド１９、気密材１３は、扉体１に対して同じ高さで案内される。
【００３７】
扉体１の閉鎖時には、ロッド１９の上端のガイドローラ１２が傾斜レール８２の第２部分８２Ｂ上で案内されている時には扉体１に対する気密材１３の高さは同じであるが、ロッド１９の上端のガイドローラ１２が傾斜レール８２の第１部分８０Ａ上で案内され始めると、ロッド１９および気密材１３の自重で、傾斜レール８２の第１部分８０Ａにそってロッド１９が徐々に下動し、これに応じてロッド１９の下端に設けられた気密材１３が徐々に下動して、開口部全閉時に気密材１３が扉体下端と床面との間を塞ぐ。
【００３８】
図示の例では、傾斜レール８２を、戸先側に位置して、閉鎖方向（戸先側）に向かって下方に傾斜する第１部８２Ａと、戸尻側に位置して、吊持レール３と略平行に延出する第２部８２Ｂと、から構成したが、開閉時の扉体１の移動距離、上枠２内の高さ寸法等の条件によっては、傾斜レール８２全体を同じ角度で傾斜する部材から構成することもできる。
【産業上の利用可能性】
【００３９】
本発明は、引戸の下部気密装置として利用することができる。
【図面の簡単な説明】
【００４０】
【図１】本発明に係る気密装置を備えた引戸装置の姿図（扉閉鎖時）である。
【図２】本発明に係る気密装置を備えた引戸装置の姿図（扉開放時）である。
【図３】図１におけるＡ部の詳細図である。
【図４】図１におけるＢ部の詳細図である。
【図５】図１におけるＣ−Ｃ断面図である。
【図６】図１におけるＤ−Ｄ断面図である。
【図７】図１におけるＥ−Ｅ断面図である。
【図８】他の実施形態を示す引戸装置の姿図（扉閉鎖時）である。
【図９】さらに他の実施形態を示す引戸装置の姿図（扉閉鎖時）である。
【図１０】図９の実施形態における引戸装置の姿図（扉開放時）である。
【図１１】図９におけるＦ−Ｆ断面図である。
【図１２】さらに他の実施形態を示す引戸装置の姿図（扉閉鎖時）である。
【符号の説明】
【００４１】
１  扉体
８  傾斜レール
９  第１ロッド
１０  第２ロッド
１１  連結杆
１３  気密材
１４  スプリング
【図１】
2008063727.tif 000003
【図２】
2008063727.tif 000004
【図３】
2008063727.tif 000005
【図４】
2008063727.tif 000006
【図５】
2008063727.tif 000007
【図６】
2008063727.tif 000008
【図７】
2008063727.tif 000009
【図８】
2008063727.tif 000010
【図９】
2008063727.tif 000011
【図１０】
2008063727.tif 000012
【図１１】
2008063727.tif 000013
【図１２】
2008063727.tif 000014